【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
印刷装置に接続されたコンピュータにより、印刷を行う際のデフォルトの印刷設定情報を生成するための印刷制御プログラムであって、
印刷処理における制限項目に少なくとも１のしきい値を設定し、該しきい値により定義される前記制限項目の値の範囲に、前記印刷設定情報に属する少なくとも１の項目の設定値を関連付けた設定管理表を作成するための管理表作成手段と、
前記制限項目の現在の値を取得し、該値の属する値の範囲に関連付けられた前記印刷設定情報に属する少なくとも１の項目の設定値を前記設定管理表から読み取る読み取り手段と、
前記読み取り手段により読み取った設定値を当該項目の設定として含む前記印刷設定情報を作成して保存する作成手段と
してコンピュータを機能させることを特徴とするプログラム。
【請求項２】
前記管理表作成手段は前記設定管理表を利用者毎に作成し、
前記読み取り手段は、前記制限項目の現在の値を着目した利用者について取得し、該値の属する値の範囲に関連付けられた前記印刷設定情報に属する少なくとも１の項目の設定値を、当該利用者に対応する前記設定管理表から読み取り、
前記作成手段は、前記読み取り手段により読み取った設定値を当該項目の設定として含む、前記着目した利用者に適用される印刷設定情報を作成して保存し、
各利用者を着目した利用者として、前記印刷設定情報を作成して保存することを特徴とする請求項１に記載のプログラム。
【請求項３】
前記作成手段により作成され保存された前記印刷設定情報を、前記印刷装置を利用する他のコンピュータに保存すべく前記他のコンピュータに対して送信する送信手段としてさらにコンピュータを機能させることを特徴とする請求項１または２に記載のプログラム。
【請求項４】
現在のデフォルトの印刷設定情報を前記他のコンピュータから取得するための設定取得手段と、
前記設定取得手段で取得した印刷設定情報と前記作成手段により作成した印刷設定情報との一致の有無を判定する判定手段としてさらにコンピュータを機能させ、
前記判定手段による判定の結果、両印刷設定情報が相異なる場合に、前記送信手段は、前記他のコンピュータに対して前記作成手段により作成され保存された前記印刷設定情報を送信することを特徴とする請求項３に記載のプログラム。
【請求項５】
前記読み取り手段は、前記制限項目の現在の値を、前記印刷装置に蓄積された履歴情報から取得することを特徴とする請求項１乃至４のいずれか１項に記載のプログラム。
【請求項６】
前記読み取り手段は、前記制限項目の現在の値を、前記印刷装置を利用する他のコンピュータに蓄積された履歴情報から取得することを特徴とする請求項１乃至４のいずれか１項に記載のプログラム。
【請求項７】
前記印刷処理における制限項目として、印刷枚数またはカラー率のいずれかを選択可能であることを特徴とする請求項１に記載のプログラム。
【請求項８】
前記制限項目の値の範囲に関連づけられた前記印刷設定情報に属する少なくとも１の項目として、ページレイアウト、印刷方法、用紙サイズ、印刷色のいずれかを選択可能であることを特徴とする請求項１または７に記載のプログラム。
【請求項９】
印刷装置により印刷を行う際のデフォルトの印刷設定情報を生成するための印刷制御装置であって、
印刷処理における制限項目に少なくとも１のしきい値を設定し、該しきい値により定義される前記制限項目の値の範囲に、前記印刷設定情報に属する少なくとも１の項目の設定値を関連付けた設定管理表を作成するための管理表作成手段と、
前記制限項目の現在の値を取得し、該値の属する値の範囲に関連付けられた前記印刷設定情報に属する少なくとも１の項目の設定値を前記設定管理表から読み取る読み取り手段と、
前記読み取り手段により読み取った設定値を当該項目の設定として含む印刷設定情報を作成して保存する作成手段と
備えることを特徴とする印刷制御装置。
【請求項１０】
印刷装置により印刷を行う際のデフォルトの印刷設定情報を生成するための印刷制御方法であって、
印刷処理における制限項目に少なくとも１のしきい値を設定し、該しきい値により定義される前記制限項目の値の範囲に、前記印刷設定情報に属する少なくとも１の項目の設定値を関連付けた設定管理表を作成するための管理表作成工程と、
前記制限項目の現在の値を取得し、該値の属する値の範囲に関連付けられた前記印刷設定情報に属する少なくとも１の項目の設定値を前記設定管理表から読み取る読み取り工程と、
前記読み取り工程により読み取った設定値を当該項目の設定として含む印刷設定情報を作成して保存する作成工程と
備えることを特徴とする印刷制御方法。
【請求項１１】
印刷装置に接続されたコンピュータにより、印刷を行う際のデフォルトの印刷設定情報を生成するための印刷制御プログラムであって、
印刷処理における制限項目の現在の値を取得する取得手段と、
前記制限項目について定義された値の範囲に、前記印刷設定情報に属する少なくとも１の項目の設定値を関連付けた設定管理表から、前記取得手段により取得した制限項目の現在の値の属する範囲に関連付けられた、前記印刷設定情報に属する少なくとも１の項目の設定値を読み取る読み取り手段と、
前記読み取り手段により読み取った設定値を当該項目の設定として含む印刷設定情報を作成する作成手段と
してコンピュータを機能させることを特徴とするプログラム。
【請求項１２】
印刷装置により印刷を行う際のデフォルトの印刷設定情報を生成するための印刷制御装置であって、
印刷処理における制限項目の現在の値を取得する取得手段と、
前記制限項目について定義された値の範囲に、前記印刷設定情報に属する少なくとも１の項目の設定値を関連付けた設定管理表から、前記取得手段により取得した制限項目の現在の値の属する範囲に関連付けられた、前記印刷設定情報に属する少なくとも１の項目の設定値を読み取る読み取り手段と、
前記読み取り手段により読み取った設定値を当該項目の設定として含む印刷設定情報を作成する作成手段と
を備えることを特徴とする印刷制御装置。
【請求項１３】
印刷装置ににより印刷を行う際のデフォルトの印刷設定情報を生成するための印刷制御方法であって、
印刷処理における制限項目の現在の値を取得する取得工程と、
前記制限項目について定義された値の範囲に、前記印刷設定情報に属する少なくとも１の項目の設定値を関連付けた設定管理表から、前記取得手段により取得した制限項目の現在の値の属する範囲に関連付けられた、前記印刷設定情報に属する少なくとも１の項目の設定値を読み取る読み取り工程と、
前記読み取り工程により読み取った設定値を当該項目の設定として含む印刷設定情報を作成する作成工程と
を備えることを特徴とする印刷制御方法。
【手続補正２】
【補正対象書類名】明細書
【補正対象項目名】０００８
【補正方法】変更
【補正の内容】
【０００８】
上記目的を達成するために本発明は以下の構成を備える。すなわち、印刷装置に接続されたコンピュータにより、印刷を行う際のデフォルトの印刷設定情報を生成するための印刷制御プログラムであって、印刷処理における制限項目に少なくとも１のしきい値を設定し、該しきい値により定義される前記制限項目の値の範囲に、前記印刷設定情報に属する少なくとも１の項目の設定値を関連付けた設定管理表を作成するための管理表作成手段と、前記制限項目の現在の値を取得し、該値の属する値の範囲に関連付けられた前記印刷設定情報に属する少なくとも１の項目の設定値を前記設定管理表から読み取る読み取り手段と、前記読み取り手段により読み取った設定値を当該項目の設定として含む印刷設定情報を作成して保存する作成手段としてコンピュータを機能させることを特徴とするプログラム。